(57)【要約】      （修正有）【課題】周側枠を有する包装用容器において、蓋の取り付け構造が改良され、密封性が向上された蓋付き包装用容器を提供する。【解決手段】周側枠３を有する蓋付き包装用容器１において、容器本体２の上縁近傍の内側面側に、蓋受け用の段部７を形成する。段部７の上方周囲は、逆テーパ部６により囲まれている。蓋４の側面壁１４には、折り返されて形成された段部１６が容器本体２の段部７に対向する。そして、段部１６には、上方へ起立する逆テーパー部１７を形成し、その先端にはフランジ部１８を形成する。【効果】容器本体２および蓋４は、それぞれの逆テーパー部６、１７を介して着脱自在に内嵌合し、周側枠３付き容器１の密封性および取り扱い性が向上する。【選択図】図３Ａ
0003140543.tif 000002
【実用新案登録請求の範囲】
【請求項１】
容器本体と、容器本体に固定された熱可塑性樹脂発泡体からなる周側枠と、蓋とを備えた包装用容器であって、
前記容器本体は、熱可塑性樹脂シートの成形体からなり、容器側壁上端に容器外側に向けて屈曲させた段部と、前記段部から上方に向けて起立して形成した逆テーパー部と、逆テーパー部の先端を外側に向けて折曲して形成したフランジ部とを有し、前記蓋は、熱可塑性樹脂シートの成形体からなり蓋側壁下端に蓋外側に向けて屈曲させた段部と前記段部から上方に向けて起立して形成した逆テーパー部と逆テーパー部の先端を外側に向けて折曲して形成したフランジ部とを有し、前記容器本体と前記蓋とはそれぞれの逆テーパー部を介して着脱自在に嵌合してなる構造であることを特徴とする包装用容器。
【請求項２】
前記容器本体のフランジ部は、前記周側枠の上縁よりも上方に位置することを特徴とする、請求項１に記載する包装用容器。
【考案の詳細な説明】
【技術分野】
【０００１】
この考案は、食品等の被包装物を収容するのに適した包装用容器に関し、特に、蓋付き包装用容器に関する。
【背景技術】
【０００２】
従来から、弁当や惣菜等の食品を収容する容器として、樹脂製の包装用容器が広く普及している。これらの包装用容器においては、食品を盛りつけた時の見栄えの良さも重要な品質となっている。
そこで、食品等を収容する容器本体の外側に、発泡製樹脂板などからなる周側枠を設けた包装用容器が提案されている。（たとえば、特許文献１〜３参照）
周側枠を設けた包装用容器では、周側枠によって高級感を演出できるため、包装用容器の見栄えが良くなり、商品価値を高めることができる。また、周側枠を発泡製樹脂板などで構成した場合、周側枠によって断熱性が高められるため、電子レンジの加熱によって食品等が高温になった場合でも、容器を手で持ったときに火傷の危険が少なくなるという利点がある。
【特許文献１】特開２００５−２６３２８３号公報
【特許文献２】特開２００５−２６３２８４号公報
【特許文献３】特開２００２−１６６９７８号公報
【考案の開示】
【考案が解決しようとする課題】
【０００３】
周側枠を有するこの種の容器は、主に弁当容器として使用されていたが、高級感の有る外観から、近年、刺身や蕎麦等の水分の多い食材用容器としても使用されるようになってきた。
ところが、蓋を被せる方法としては、前記文献に記載された外嵌合で取り付けられる構成であったため、容器本体に蕎麦や刺身等を収納した場合、本体の口縁部と蓋との間に隙間があるため汁漏れしやすく、食材が乾燥しやすいため、蓋の取り付け方法を改良して、容器本体の密閉性が向上した蓋付き包装用容器が望まれていた。
【０００４】
この考案は、このような背景のもとになされたものであって、周側枠を有する包装用容器において、密封性が改善された蓋付き包装用容器を提供することを主たる目的とする。より具体的には容器本体に対して蓋を内嵌合することにより密閉性を向上させた蓋付き包装用容器を提供することを目的とする。
【課題を解決するための手段】
【０００５】
請求項１記載の考案は、容器本体と、容器本体に固定された熱可塑性樹脂発泡体からなる周側枠と、蓋とを備えた包装用容器であって、前記容器本体は、熱可塑性樹脂シートの成形体からなり、容器側壁上端に容器外側に向けて屈曲させた段部と、前記段部から上方に向けて起立して形成した逆テーパー部と、逆テーパー部の先端を外側に向けて折曲して形成したフランジ部とを有し、前記蓋は、熱可塑性樹脂シートの成形体からなり蓋側壁下端に蓋外側に向けて屈曲させた段部と前記段部から上方に向けて起立して形成した逆テーパー部と逆テーパー部の先端を外側に向けて折曲して形成したフランジ部とを有し、前記容器本体と前記蓋とはそれぞれの逆テーパー部を介して着脱自在に嵌合してなる構造であることを特徴とする包装用容器である。
【０００６】
請求項２記載の考案は、前記容器本体のフランジ部は、前記周側枠の上縁よりも上方に位置することを特徴とする、請求項１に記載する包装用容器である。
【考案の効果】
【０００７】
請求項１記載の考案によれば、容器本体および蓋には、それぞれ、段部および逆テーパー部が設けられており、容器本体に対して蓋を被せた際には、それぞれの段部が上下に対向するとともに、それぞれの逆テーパー部を介して圧接し、密封性の良い嵌合構造を実現することができる。
なお、容器本体に段部は必ずしも容器の内面全周に設ける必要はなく、蓋受けの目的なので部分的に設けられていてもよい。同様に、蓋の段部も、必ずしも蓋の全周に設ける必要はなく、部分的に設けられていてもよい。
【０００８】
請求項２記載の考案によれば、容器本体のフランジ部は、周側枠の上縁よりも上方へ突出しているので、蓋を外した状態で包装用容器を積み重ねる場合、下側の包装用容器の周側枠の上端面に、上側の包装用容器の周側枠の下端面が乗るように積み重ねられるが、その場合において、周側枠の上縁よりも上方へ突出している容器嵌合部が上に積み重ねられた包装用容器の周側枠と係合し、積み重ねられた包装用容器が横へずれるのを阻止する。
【考案を実施するための最良の形態】
【０００９】
以下には、図面を参照して、この考案の実施形態について具体的に説明をする。
図１は、この考案の一実施形態に係る包装用容器１の分解斜視図であり、図２は、容器本体２に周側枠３が取り付けられた状態の包装用容器１の蓋４を外した状態の部分斜視図である。
包装用容器１は、容器本体２と、周側枠３と、蓋４とを有している。
【００１０】
容器本体２は、この実施形態では、平面視が略長方形状をしており、所定の深さを有する容器となっている。もっとも、容器本体２は、平面視が長方形状のものに限るわけではなく、平面視は任意の形状（たとえば三角形状、正方形状、五角形状、六角形状、丸形状等）であればよく、その深さも任意である。また、容器本体２には、収容する食材に合わせて、仕切り等が形成されていてもよい。
【００１１】
容器本体２は、熱可塑性樹脂シートを成形して構成されている。樹脂としては、たとえばポリプロピレン（ＰＰ）、ポリエチレンテレフタレート（ＰＥＴ）、またはポリスチレン（ＰＳ）等を例示することができる。成形法としては、真空成形、圧空成形、真空圧空成形などを採用できる。
この実施形態に係る容器本体２では、容器側壁上端に蓋受け用段部７と、段部７に連設して形成した逆テーパー部６と、逆テーパー部６に連設して形成したフランジ部８とを有し、さらにフランジ部８から外側面部を介して周側枠の受け止め溝と係合する係合辺部１１が備えられている。段部７は、蓋受けの目的で設けられており、必ずしも容器の内面全周に設ける必要はなく、一部分が切り欠かれていたり、部分的に設けられた構成でもよい。
【００１２】
周側枠３は、ある程度の厚みを有する板材で形成されており、たとえば厚さ２〜８ｍｍの熱可塑性樹脂発泡体の板材で構成されている。周側枠３は、容器本体２の平面形状に則した形状、この実施形態では容器本体２の平面形状である略長方形に合わせて、平面視が長方形状をしている。４つの辺を区画する周側枠３は、長い板状の樹脂発泡体が折り曲げられて作られているが、４枚の板状の樹脂発泡体が組み合わされて形成されてもよい。
【００１３】
この実施形態に係る周側枠３は、その内面上方に、容器本体２の係合辺部１１を受け止めるために、水平方向に延びる受け止め溝５が形成されている。
なお、周側枠３の外面には、木目模様等の装飾を施すことによって、高級感を与えることもできる。
蓋４は、容器本体２と同様に、熱可塑性樹脂シートを成形することにより作られている。蓋４は、好ましくは、透明な樹脂シートにより形成するのがよく、それによって、蓋４を通して、容器本体２内に収容された食品等を視認することができる。
【００１４】
蓋４には、蓋側壁下端に段部１６が設けられ、この段部１６に連設して形成した逆テーパー部１７と、逆テーパー部１７に連設し、外側に向けて張り出したフランジ部１８が延設されている。フランジ部１８の少なくとも周縁にはセーフティエッジ加工が施されていて、蓋４を開閉する際に、フランジ部１８の周縁で手指等を傷つけることのないようにされている。セーフティエッジ加工とは、フランジ部１８の周縁沿いに上下方向に細かな凹凸を形成し、フランジ部１８の周縁が水平方向に見て上下に細かくうねった構成を有するように加工することである。このような加工を施すことにより、フランジ部１８の周縁に手指を触れても、手指が傷つくのを防止することができる。
【００１５】
図２に示すように、容器本体２に周側枠３が取り付けられた状態では、周側枠３の内側に容器本体２が配置される。蓋４が内嵌合で装着された場合、包装用容器１の密閉性の向上が図れ、収容された食品等から出る汁等が容器本体２から漏れるのを防止することができ、また、収容された食品等の乾燥を防ぐこともできる。
以下、この考案の特徴となる構成について、いくつかの実施形態に基づいてより具体的に説明をする。
【００１６】
図３Ａは、この考案の一実施形態に係る包装用容器１の特徴となる構成を説明するたの図解的な部分端面図である。
図３Ａを参照して、容器本体２は、底面板９と、底面板９の周囲から外方へ斜め上方に立ち上がった側面壁１０とを有している。さらに、側面壁１０の上端には、容器外側に向けて屈曲させた段部７が形成されている。この段部７から上方に向けて開口縁が小さくなるよう起立して形成された逆テーパー部６と、逆テーパー部６の先端を外側に向けて折曲して形成したフランジ部８と、フランジ部８を下方へ折曲して形成した外側面部６３とを備えている。そして外側面部６３の最外側下端には係合辺部１１が形成されている。係合辺部１１は、図示のように、周側枠３の内面上方に形成された受け止め溝５と係合する構成とされている。これにより、容器本体２と周側枠３とは強固に係合固定される。
【００１７】
底面板９には、底面周囲に位置している相対的に低い部分９ａと、低い部分９ａの内側に位置する相対的に高い部分９ｂとが備えられ、低い部分９ａと高い部分９ｂとは上下方向の段部１２でつながっている。
この実施形態では、容器本体２の外周面に周側枠３が取り付けられた状態において、容器本体のフランジ部８が周側枠３の上端面３ａとほぼ等しい高さになるようにされている。また、容器本体２の底面板９、特に低い部分９ａの高さは、周側枠３の下端面３ｂと同じか、もしくはやや上方になるようにされている。
【００１８】
かかる構成により、容器嵌合部６と周側枠３の上端面３ａとがほぼ面一であるから、上方から見ると、容器本体２と周側枠３との一体化が図れ、取り扱いがし易く、見栄えの良い包装用容器とすることができる。
また、底面板９を周側枠３の下端面３ｂより上方となるようにした場合には、容器本体２内に食品等が入れられ、その食品等が温かいか、または熱い場合に、包装用容器１がテーブル上に置かれた場合等に、食品の熱がテーブルに直接伝わるのを防止することができる。
【００１９】
蓋４は、天面板１３と、天面板１３の周囲に連設されており、外方へ斜め下方に下がった蓋側壁としての周面壁１４と、周面壁１４の下端から外側に向けて屈曲させた段部１６と、段部１６の外縁から上方に向けて開口縁が小さくなるよう起立して形成した逆テーパー部１７と、逆テーパー部１７の先端を外側へ向けて形成した水平に張り出したフランジ部１８とを備えている。蓋４が容器本体２に嵌められると、蓋の段部１６が容器本体２の段部７の上に乗るように受け止められる。また、蓋の逆テーパー部１７と容器の逆テーパー部６とが内嵌合され互いに圧接し、密封性の向上が図れる。
【００２０】
また、容器本体２と蓋４との嵌合状態は、容器本体２および蓋４が熱可塑性樹脂シートにより形成されていることから、互いに弾性変位するので、それぞれの逆テーパー部６と１７とは弾性が加味されて確実に圧接する。
蓋４の天面板１３には、天面板１３の周囲に沿って相対的に低い部分１３ａが形成され、低い部分１３ａの内側には相対的に高い部分１３ｂが形成されている。低い部分１３ａと高い部分１３ｂとは上下方向の段部２１でつながっている。これら低い部分１３ａおよび高い部分１３ｂは、容器本体２の底面板９の低い部分９ａおよび高い部分９ｂと対応付けられている。よって、図３Ｂに示すように、包装用容器１を積み重ねた状態において、下方の包装用容器１の蓋４と、その上方の包装用容器１の容器本体２の底面板９とが、高い部分９ｂ、１３ｂと低い部分９ａ、１３ａとが互いに係合するので、積み重ねられた包装用容器が横ずれすることがなく、安定して積み重ねることができる。
【００２１】
図４Ａは、この考案の他の実施形態（変更例Ａ）に係る包装用容器１Ａの図解的な部分端面図である。図４Ａに示すように、変更例Ａに係る包装用容器１Ａでは、容器本体２の容器フランジ部８の高さが、周側枠３の上端縁（上端面３ａ）よりも上方へ突出した形状とされている。それ以外の構成は、先に説明した構成と同様である。フランジ部８を周側枠３の上端縁（上端面３ａ）よりも上方位置とすることで、蓋の取り外しに際して、フランジ部１８をつかみ易くなり蓋を取り外し易くできる。
【００２２】
蓋４を嵌めた包装用容器１Ａを積み重ねた状態における容器の安定性は、先に説明した実施形態と同様に安定している。容器本体２の底面板９と蓋４の天面板１３との高い部分９ｂ、１３ｂおよび低い部分９ａ、１３ａの係合があるからである。（図４Ｂ参照）
さらに、図４Ｃに示すように、包装用容器１Ａを２段容器として積み重ねて使用する場合、すなわち下段の容器は蓋４をせず、上段の容器だけ蓋を使用した積み重ね状態とする場合、および、図４Ｄに示すように、蓋を取り外して積み重ねた状態で流通状態に置く場合等において、積み重ねられた容器が、横方向へずれようとしたとき、周側枠３の上端面３ａから突出している容器嵌合部６により、積み重ねられた容器が横ずれするのを防止できる。従って、この実施形態では、容器の積み重ね時に、積み重ね状態が強固で安定した包装用容器１Ａとすることができる。
【００２３】
次に、図５Ａおよび図５Ｂを参照して、容器本体２と周側枠３との係合構造の変形例について説明する。
図５Ａは、容器本体２と周側枠との固定方法の変更例で、フランジ部８ａを周側枠３の上端面３ａと熱融着または接着剤によって固定した構造を示している。
この構造の場合、容器本体２の内容量を大きく確保することができるという利点がある。
【００２４】
図５Ｂは、容器本体２と周側枠３との他の固定方法を示す変更例で、周側枠３の下端面と熱融着または接着剤によって固定した構造である。
この考案は、以上説明した各種実施形態に限定されるものではなく、請求項記載の範囲内において種々の変更が可能である。
【図面の簡単な説明】
【００２５】
【図１】この考案の一実施形態に係る包装用容器１の分解斜視図である。
【図２】容器本体２に周側枠３が取り付けられた状態の包装用容器１の蓋４を外した状態の部分斜視図である。
【図３Ａ】この考案の一実施形態に係る包装用容器１の特徴となる構成を説明するための図解的な部分端面図である。
【図３Ｂ】包装用容器１を積み重ねた状態を示す部分端面図である。
【図４Ａ】この考案の他の実施形態（変更例Ａ）に係る包装用容器１Ａの図解的な部分端面図である。
【図４Ｂ】包装用容器１Ａを積み重ねた状態を示す部分端面図である。
【図４Ｃ】包装用容器１Ａを２段容器として積み重ねて使用する場合の積み重ね状態を示す部分端面図である。
【図４Ｄ】包装用容器１Ａの蓋を取り外して積み重ねた状態で流通状態に置く場合の積み重ね状態を説明するための部分端面図である。
【図５Ａ】容器本体２と周側枠３との固定方法の変更例を示す図である。
【図５Ｂ】容器本体２と周側枠３との固定方法の他の変更例を示す図である。
【符号の説明】
【００２６】
１、１Ａ、１Ｂ、１Ｃ    包装用容器
２    容器本体
３    周側枠
３ａ    上端面
３ｂ    下端面
４    蓋
５    受け止め溝
６    逆テーパー部
８    フランジ部
７    段部
９    底面板
９ａ    低い部分
９ｂ    高い部分
１０    側面壁
１１    係合辺部
１２、２１    上下方向の段部
１３    天面板
１４    側面壁
１６    段部
１７    逆テーパー部
１８    フランジ部
【図１】
0003140543.tif 000003
【図２】
0003140543.tif 000004
【図３Ａ】
0003140543.tif 000005
【図３Ｂ】
0003140543.tif 000006
【図４Ａ】
0003140543.tif 000007
【図４Ｂ】
0003140543.tif 000008
【図４Ｃ】
0003140543.tif 000009
【図４Ｄ】
0003140543.tif 000010
【図５Ａ】
0003140543.tif 000011
【図５Ｂ】
0003140543.tif 000012